(57)【要約】【課題】運転席のユーザのタッチパネル操作が助手席ユーザのビデオ鑑賞を妨げる程度を抑制する「ビデオシステム及び車載ビデオシステム」を提供する。【解決手段】表示装置７として二つの視野角を持つ二つの画像を同時に表示可能な表示装置７を用いる。表示装置７を用いて、助手席のユーザにＤＶＤビデオプレイヤ３の再生画像を出力し、運転席のユーザにナビゲーション装置２の出力画像を出力しているときに、運転席のユーザによる、表示装置７の表示画面上に配置したタッチパネル８の操作が発生したならば、制御装置１は、ＤＶＤビデオプレイヤ３の再生動作を一時停止し、運転席のユーザの操作の完了を待って、ＤＶＤビデオプレイヤ３の再生動作を再開する。【選択図】図１
2007245792.tif 000002
【特許請求の範囲】
【請求項１】
単一の表示画面を用いて、第１の席のユーザから視認可能であり第２の席のユーザから視認できない第１の映像と、第１の席のユーザから視認できず第２の席のユーザから視認可能な第２の映像とを同時に表示する表示装置と、
前記表示装置の表示画面に重ねて設置された透明なタッチパネルと、
前記第１の映像として前記表示装置に表示する映像を表すビデオを出力する第１ビデオ出力装置と、
前記第２の映像として前記表示装置に表示する映像を表すビデオを出力する、ビデオ出力を一時停止可能であって当該一時停止した箇所からビデオ出力を再開可能な第２ビデオ出力装置と、
前記第１の席のユーザがタッチパネルの操作を行っている期間中、前記第２ビデオ出力装置にビデオ出力を一時停止させ、当該第１の席のユーザのタッチパネルの操作が終了したならば、前記第２ビデオ出力装置にビデオ出力を、当該ビデオ出力を一時停止した箇所から再開させるユーザ操作中ビデオ出力一時停止手段とを有することを特徴とするビデオシステム。
【請求項２】
自動車に搭載される車載ビデオシステムであって、
単一の表示画面を用いて、運転席のユーザから視認可能であり助手席のユーザから視認できない第１の映像と、運転席のユーザから視認できず助手席のユーザから視認可能な第２の映像とを同時に表示する表示装置と、
前記表示装置の表示画面に重ねて設置された透明なタッチパネルと、
前記第１の映像として前記表示装置に表示する映像を表すビデオを出力する第１ビデオ出力装置と、
前記第２の映像として前記表示装置に表示する映像を表すビデオを出力する、ビデオ出力を一時停止可能であって当該一時停止した箇所からビデオ出力を再開可能な第２ビデオ出力装置と、
前記運転席のユーザがタッチパネルの操作を行っている期間中、前記第２ビデオ出力装置にビデオ出力を一時停止させ、当該運転席のユーザのタッチパネルの操作が終了したならば、前記第２ビデオ出力装置にビデオ出力を、当該ビデオ出力を一時停止した箇所から再開させるユーザ操作中ビデオ出力一時停止手段とを有することを特徴とする車載ビデオシステム。
【請求項３】
請求項２記載の車載ビデオシステムであって、
前記第２ビデオ出力装置は、記録媒体に記録されたビデオコンテンツを再生し出力するビデオ再生装置であって、
前記ユーザ操作中ビデオ出力一時停止手段は、運転席のユーザがタッチパネルの操作を行っている期間中、前記ビデオ再生装置に前記記録媒体に記録されたビデオコンテンツの再生を一時停止させ、当該運転席のユーザのタッチパネルの操作が終了したならば、前記ビデオ再生装置に前記記録媒体に記録されたビデオコンテンツの再生を再開させることを特徴とする車載ビデオ装置。
【請求項４】
請求項２記載の車載ビデオシステムであって、
前記第２ビデオ出力装置は、ＴＶ放送を受信し受信したＴＶ番組を出力する、タイムシフト再生機能を備えたＴＶ受信装置であって、
前記ユーザ操作中ビデオ出力一時停止手段は、運転席のユーザがタッチパネルの操作を行っている期間中、前記ＴＶ受信装置に前記ＴＶ番組の出力を停止させ、当該運転席のユーザのタッチパネルの操作が終了したならば、前記ＴＶ受信装置に、前記出力を停止した箇所からの前記ＴＶ番組のタイムシフト再生を開始させることを特徴とする車載ビデオ装置。
【請求項５】
請求項２、３または４記載の車載ビデオシステムであって、
前記第１のビデオ出力装置は、ナビゲーション装置であり、
前記運転席のユーザのタッチパネルの操作は、前記ナビゲーション装置を制御するための操作であることを特徴とする車載ビデオ装置。
【請求項６】
単一の表示画面を用いて、第１の席のユーザから視認可能であり、第２の席のユーザから視認できない第１の映像と、第１の席のユーザから視認できず第２の席のユーザから視認可能な第２の映像とを同時に表示する表示装置と、前記表示装置の表示画面に重ねて設置された透明なタッチパネルと、前記第１の映像として前記表示装置に表示する映像を表すビデオを出力する第１ビデオ出力装置と、前記第２の映像として前記表示装置に表示する映像を表すビデオを出力する、ビデオ出力を一時停止可能であって当該一時停止した箇所からビデオ出力を再開可能な第２ビデオ出力装置とを備えたビデオシステムにおいて、前記表示装置を用いたビデオ出力を制御する方法であって、
前記第１の席のユーザのタッチパネルの操作を検出するステップと、
前記第１の席のユーザがタッチパネルの操作を行っている期間中、前記第２ビデオ出力装置にビデオ出力を一時停止させ、当該第１の席のユーザのタッチパネルの操作が終了したならば、前記第２ビデオ出力装置にビデオ出力を、当該ビデオ出力を一時停止した箇所から再開させるステップとを有することを特徴とするビデオ出力制御方法。
【発明の詳細な説明】
【技術分野】
【０００１】
本発明は、ビデオシステム、特に自動車に搭載される車載ビデオシステムにおいてビデオ出力を制御する技術に関するものである。
【背景技術】
【０００２】
自動車に搭載される車載ビデオシステムとしては、異なる２方向から異なる画像が視認されるように二つの画像を同時に表示可能な表示装置を用い、ナビゲーション装置の出力画像を運転者であるユーザが視認可能なように表示しつつ、ＴＶ受信機の出力画像を助手席のユーザが視認可能なように表示する技術が知られている（たとえば、特許文献１）。
【０００３】
なお、このような異なる２方向から異なる画像が視認されるように二つの画像を表示可能な表示装置としては、図５ｄに示すように、画像を表示するTFT液晶パネルなどである液晶表示パネル５０１と、パターン化位相差板などを用いた視差バリア５０２と、視差バリアの効果を有効／無効を切り替えるスイッチング液晶層５０３と、バックライト光源５０４とより構成される液晶表示装置も知られている（たとえば、特許文献２）。
【０００４】
ここで、このような液晶表示装置によれば、スイッチング液晶層５０３によって、視差バリア５０２の効果を有効とした場合、表示パネル５０１の各画素の視野は、図示するように、水平方向について交互に異なったものとなる。したがって、画像ａ１の画素と画像ａ２の画素を水平方向について交互に配置した画像ｂを、ｃのように液晶表示パネル５０１に表示することによって、ｅ１、ｅ２に示すように、液晶表示装置に対して第１の方向にいるユーザからはａ１の画像のみが視認され、液晶表示装置に対して第２の方向にいるユーザからはａ２の画像のみが視認されることになる。
【０００５】
さて、自動車に搭載される車載ビデオシステムとしては、ナビゲーション装置の出力画像やＴＶ受信機の出力画像やビデオ再生装置の再生画像の表示に用いる表示装置の表示画面に重ねてタッチパネルを設置すると共に、ユーザのタッチパネルのタッチに応じて、表示装置に表示したメニューの操作を受け付ける技術も知られている（たとえば、特許文献３）。
【特許文献１】特開2000-36927号公報
【特許文献２】特開2004-302409号公報
【特許文献３】特開2005-096596号公報
【発明の開示】
【発明が解決しようとする課題】
【０００６】
さて、前述のように異なる２方向から異なる画像が視認されるように二つの画像を同時に表示可能な表示装置を、タッチパネルと併用する場合には以下のような問題が生じる。
すなわち、たとえば、ナビゲーション装置の出力画像を運転者であるユーザが視認可能なように表示しつつ、ビデオ再生装置の再生画像やＴＶ受信機の出力画像を助手席のユーザが視認可能なように表示しているときに、運転者がナビゲーション装置の操作のためにタッチパネルを操作すると、運転者の手の陰となるために、表示装置に表示されているビデオ再生装置の再生画像やＴＶ受信機の出力画像を、助手席のユーザが視認できなくなってしまう。したがって、このような運転者のタッチパネルの操作が発生した場合には、助手席のユーザの、表示装置を用いたビデオタイトルやＴＶプログラムといったビデオコンテンツの鑑賞が妨げられてしまうことになる。
【０００７】
そこで、本発明は、異なる席のユーザに異なる画像を同時に表示可能な表示装置と、表示装置の表示画面上に配置されたタッチパネルとを備えたビデオシステムにおいて、表示装置を用いて出力されているビデオコンテンツのユーザの鑑賞が、他のユーザの、当該ビデオコンテンツと無関係な操作によって妨げられる程度を抑制することを課題とする。
【課題を解決するための手段】
【０００８】
前記課題達成のために、本発明は、単一の表示画面を用いて、第１の席のユーザから視認可能であり第２の席のユーザから視認できない第１の映像と、第１の席のユーザから視認できず第２の席のユーザから視認可能な第２の映像とを同時に表示する表示装置と、前記表示装置の表示画面に重ねて設置された透明なタッチパネルと、前記第１の映像として前記表示装置に表示する映像を表すビデオを出力する第１ビデオ出力装置と、前記第２の映像として前記表示装置に表示する映像を表すビデオを出力する、ビデオ出力を一時停止可能であって当該一時停止した箇所からビデオ出力を再開可能な第２ビデオ出力装置と、前記第１の席のユーザがタッチパネルの操作を行っている期間中、前記第２ビデオ出力装置にビデオ出力を一時停止させ、当該第１の席のユーザのタッチパネルの操作が終了したならば、前記第２ビデオ出力装置にビデオ出力を、当該ビデオ出力を一時停止した箇所から再開させるユーザ操作中ビデオ出力一時停止手段とを備えたビデオシステムを提供する。
【０００９】
このようなビデオシステムによれば、第１の席のユーザがタッチパネルを操作しているために、第２の席のユーザにとって表示装置が第１の席のユーザの手の陰となってしまう期間中は、第２の席のユーザが鑑賞しているビデオコンテンツの出力を一時停止し、第１の席のユーザの操作完了後に、第２の席のユーザが鑑賞しているビデオコンテンツの出力を一時停止した箇所から再開する。よって、第１の席のユーザのタッチパネルの操作のために、第２の席のユーザが、ビデオコンテンツを、その一部の期間について視ることができなくなってしまうことがない。
【００１０】
ここで、このようなビデオシステムは、自動車に搭載される車載ビデオシステムとして適用可能であり、この場合には、車載ビデオシステムを、単一の表示画面を用いて、運転席のユーザから視認可能であり助手席のユーザから視認できない第１の映像と、運転席のユーザから視認できず助手席のユーザから視認可能な第２の映像とを同時に表示する表示装置と、前記表示装置の表示画面に重ねて設置された透明なタッチパネルと、前記第１の映像として前記表示装置に表示する映像を表すビデオを出力する第１ビデオ出力装置と、前記第２の映像として前記表示装置に表示する映像を表すビデオを出力する、ビデオ出力を一時停止可能であって当該一時停止した箇所からビデオ出力を再開可能な第２ビデオ出力装置と、前記運転席のユーザがタッチパネルの操作を行っている期間中、前記第２ビデオ出力装置にビデオ出力を一時停止させ、当該運転席のユーザのタッチパネルの操作が終了したならば、前記第２ビデオ出力装置にビデオ出力を、当該ビデオ出力を一時停止した箇所から再開させるユーザ操作中ビデオ出力一時停止手段とより構成するようにする。
【００１１】
このような車載ビデオシステムによれば、運転席のユーザがタッチパネルを操作しているために、助手席のユーザにとって表示装置が運転席のユーザの手の陰となってしまう期間中は、助手席のユーザが鑑賞しているビデオコンテンツの出力を一時停止し、運転席のユーザの操作完了後に、助手席のユーザが鑑賞しているビデオコンテンツの出力を一時停止した箇所から再開する。よって、運転席のユーザのタッチパネルの操作のために、助手席のユーザが、ビデオコンテンツを、その一部の期間について視ることができなくなってしまうことがなく、運転席のユーザのタッチパネルの操作中もビデオコンテンツの出力を継続する場合に比べ、運転席のユーザのタッチパネルの操作が、助手席のユーザのビデオコンテンツの鑑賞の妨げとなる程度を軽減することができる。
【００１２】
なお、以上の車載ビデオシステムにおいて、前記第２ビデオ出力装置は、記録媒体に記録されたビデオコンテンツを再生し出力するビデオ再生装置であってよく、この場合には、前記ユーザ操作中ビデオ出力一時停止手段は、運転席のユーザがタッチパネルの操作を行っている期間中、前記ビデオ再生装置に前記記録媒体に記録されたビデオコンテンツの再生を一時停止させ、当該運転席のユーザのタッチパネルの操作が終了したならば、前記ビデオ再生装置に前記記録媒体に記録されたビデオコンテンツの再生を再開させるようにする。または、前記第２ビデオ出力装置は、ＴＶ放送を受信し受信したＴＶ番組を出力する、タイムシフト再生機能を備えたＴＶ受信装置であってもよく、この場合には、前記ユーザ操作中ビデオ出力一時停止手段は、運転席のユーザがタッチパネルの操作を行っている期間中、前記ＴＶ受信装置に前記ＴＶ番組の出力を停止させ、当該運転席のユーザのタッチパネルの操作が終了したならば、前記ＴＶ受信装置に、前記出力を停止した箇所からの前記ＴＶ番組のタイムシフト再生を開始させるようにする。また、以上の車載ビデオシステムにおいて、前記第１のビデオ出力装置は、ナビゲーション装置であってよく、前記運転席のユーザのタッチパネルの操作は、前記ナビゲーション装置を制御するための操作であってよい。
【発明の効果】
【００１３】
以上のように、本発明によれば、異なる席のユーザに異なる画像を同時に表示可能な表示装置と、表示装置の表示画面上に配置されたタッチパネルとを備えたビデオシステムにおいて、表示装置を用いて出力されているビデオコンテンツのユーザの鑑賞が、他のユーザの、当該ビデオコンテンツと無関係な操作によって妨げられる程度を抑制することができる。
【発明を実施するための最良の形態】
【００１４】
以下、本発明の実施形態について説明する。
図１に、本実施形態に係る車載ビデオシステムの構成を示す。
ここで、車載ビデオシステムは自動車に搭載される装置であり、図示するように、制御装置１、ナビゲーション装置２、ＤＶＤビデオプレイヤ３、ＴＶ受信機４、出力制御部５、表示制御部６、表示装置７、タッチパネル８、音声出力制御部９、スピーカ１０、操作者検出センサ１１とを有する。
【００１５】
ここで、表示装置７は、先に図５に示したような構成を有する液晶表示装置などであり、異なる２つの視野角を持つ異なる二つの画像を同時に表示することのできる表示装置７である。ここで、表示装置７は、図２に示すように、運転席と助手席の前方の、左右方向について中央の位置に、表示画面を車両後方に向けて配置され、運転席と助手席のユーザのうちの運転席のユーザのみが視認できる画像と、運転席と助手席のユーザのうちの助手席のユーザのみが視認できる画像との二つの画像を同時に表示する。
【００１６】
また、タッチパネル８は、透明なパネル状の座標入力装置であり、このように配置した表示装置７の表示画面上に重ねて設置してある。
また、操作者検出センサ１１は、図示するように、タッチパネル８の左右に配置された、タッチパネル８への操作者の手の接近を検出する二つのセンサであり、左からの操作者の手の接近と、右からの操作者の手の接近をそれぞれ検知し、（右ハンドル車の場合は）左からの手の接近を検出した場合は操作者として助手席のユーザを検出し、右からの手の接近を検出した場合は操作者として運転手であるユーザを検出する。なお、このような操作者検出センサ１１としては、超音波や赤外線などを用いた接近センサを用いることができる。
【００１７】
図１に戻り、ナビゲーション装置２は、地図データを保持し、保持している地図データを用いた現在位置の算出や、ユーザが選定した目的地までの間の推奨ルートの設定を行う。また、ナビゲーション装置２は、制御装置１によって運転席用出力ソース機器または助手席用出力ソース機器として設定されると、現在位置や推奨ルートを地図データが表す地図上で表す案内画像の出力制御部５の出力や、推奨ルートに沿った進路変更を案内する案内音声の出力制御部５への出力などを行う。
【００１８】
また、ＤＶＤビデオプレイヤ３は、制御装置１によって運転席用出力ソース機器または助手席用出力ソース機器として設定されると、装着されたＤＶＤ-Ｖｉｄｅｏディスクに記録されているビデオコンテンツの再生や、再生したビデオコンテンツの画像の出力制御部５への出力や、再生したビデオコンテンツの音声の出力制御部５への出力を行う。
【００１９】
そして、ＴＶ受信機４は、制御装置１によって運転席用出力ソース機器または助手席用出力ソース機器として設定されると、ＴＶ放送の受信や、受信したＴＶ番組の画像の出力制御部５への出力や、受信したＴＶ番組の音声の出力制御部５への出力を行う。また、ＴＶ受信機４は、受信したＴＶ番組の画像や音声の出力を所望時間遅延させて行うタイムシフト再生機能を備えている。すなわち、ＴＶ受信機４は、ビデオ記録機能を備えており、一時停止を指示されると、受信中のＴＶ番組のビデオの記録を開始し、タイムシフト再生開始を指示されると、記録しているビデオを先頭から再生するタイムシフト再生を行う。そして、タイムシフト再生中は、再生したビデオの画像の出力制御部５の出力と、再生したビデオの音声の出力制御部５の出力を行う。なお、タイムシフト再生は、ＴＶ受信機４が運転席用出力ソース機器または助手席用出力ソース機器でなくなった場合の他、受信チャネルの変更操作が発生した場合などに終了する。
【００２０】
次に、出力制御部５は、ナビゲーション装置２とＤＶＤビデオプレイヤ３とＴＶ受信機４と制御装置１とのうちの、制御装置１によって、運転席用出力ソース機器として設定された機器から入力する画像を、運転席用画像として表示制御部６に出力すると共に、ナビゲーション装置２とＤＶＤビデオプレイヤ３とＴＶ受信機４のうちの、制御装置１によって、助手席用出力ソース機器として設定された機器から入力する画像を、助手席用画像として表示制御部６に出力する。
【００２１】
また、出力制御部５は、運転席用出力ソース機器として設定された機器から入力する音声と助手席用出力ソース機器として設定された機器から入力する音声を混合し、音声出力制御部９に出力し、音声出力制御部９は入力する音声を適宜増幅等してスピーカ１０から出力する。なお、この混合は、助手席用出力ソース機器としてＤＶＤビデオプレイヤ３またはＴＶ受信機４が設定されており、運転席ソース機器としてナビゲーション装置２が設定されている場合には、ナビゲーション装置２から音声が入力していない期間には、助手席用出力ソース機器から入力する音声のみを音声出力制御部９に出力し、ナビゲーション装置２から音声が入力している期間にのみ、ナビゲーション装置２から入力する音声と助手席用出力ソース機器から入力する音声を所定の比率で混合して音声出力制御部９に出力することにより行う。他の場合には、ユーザの選定に応じた形態で混合を行う。
【００２２】
次に、表示制御部６は、入力する運転席用画像と助手席用画像とを、同時に、運転席用画像については、運転席のユーザのみが視認できる視野角で表示し、助手席用画像については助手席のユーザのみが視認できる視野角で表示する。
そして、制御装置１は、以上各部の動作の制御や、ユーザ操作などに応じて選定した運転席用出力ソース機器や助手席用出力ソース機器の設定をナビゲーション装置２やＤＶＤビデオプレイヤ３やＴＶ受信機４や出力制御部５に対して行う処理などを行う。ただし、ナビゲーション装置２が車両の走行中を検出している場合には、制御装置１は、ＤＶＤビデオプレイヤ３やＴＶ受信機４を、運転席用出力ソース機器としては設定しない。
【００２３】
さて、ここで、ナビゲーション装置２とＤＶＤビデオプレイヤ３とＴＶ受信機４は、運転席用出力ソース機器として設定された場合、当該運転席用出力ソース機器に対するユーザからの操作を受け付ける操作ボタン群を上部に配置した画像を表示し、助手席用出力ソース機器として設定された場合、当該助手席用出力装置に対するユーザからの操作を受け付ける操作ボタン群を下部に配置した画像を表示する。
【００２４】
ここで、図３に以上のような構成を有する車載ビデオシステムによって行われる表示装置７の表示例を示す。
図示した例は、運転席用出力ソース機器としてナビゲーション装置２が設定されており、助手席用出力ソース機器としてＤＶＤビデオプレイヤ３が設定されている場合についてのものである。
この場合、運転席のユーザのみが視認できる視野角で表示装置７に表示される運転席用画像３１となる、ナビゲーション装置２の出力画像は、現在位置や推奨ルートを地図上で表す案内画像３１１と、ナビゲーション装置２用の操作ボタン群３１２を含むものとなる。そして、このナビゲーション装置用の操作ボタン群３１２は、ナビゲーション装置２が運転席用出力ソース機器に設定されていることより、ナビゲーション装置２の出力画像の上部に配置されることになる。
【００２５】
また、助手席のユーザのみが視認できる視野角で表示装置７に表示される助手席画像３２となるＤＶＤビデオプレイヤ３の出力画像はＤＶＤ-Ｖｉｄｅｏｓディスクから再生された画像３２１と、ＤＶＤビデオプレイヤ用の操作ボタン群３２２を含むものとなる。そして、ＤＶＤビデオプレイヤ３用の操作ボタン群３２２は、ＤＶＤビデオプレイヤ３が助手席用出力ソース機器に設定されていることより、ＤＶＤビデオプレイヤ３の出力画像の下部に配置されることになる。
【００２６】
ここで、このように本実施形態では、運転席用出力ソース機器用の操作ボタン群３１２と、助手席用出力ソース機器用の操作ボタン群３２２の表示領域が重ならないようにしている。
また、運転席用出力ソース機器用の操作ボタン群３１２が表示される領域と、助手席用出力ソース機器用の操作ボタン群３２２が表示される領域は予め定められており、制御装置１は、運転席用出力ソース機器用の操作ボタン群３１２が表示される領域内の位置に対するタッチパネル８の操作が発生したならば、その操作を運転席用出力ソース機器に中継し、助手席用出力ソース機器用の操作ボタン群３２２が表示される領域３２２に対するタッチパネル８の操作が発生したならば、その操作を運転席用出力ソース機器に中継する。そして、運転席用出力ソース機器や助手席用出力ソース機器は、制御装置１から操作を中継されたならば、操作された位置に表示している操作ボタンに応じた処理を行う。
【００２７】
なお、運転席用出力ソース機器用の操作ボタン群３１２が表示される領域でもなく、助手席用出力ソース機器用の操作ボタン群３２２が表示される領域でもない領域内の位置に対するタッチパネル８の操作が発生した場合には、制御装置１は、運転席用出力ソース機器と助手席用出力ソース機器との種類の組み合わせに対応して予め定めておいた方の機器に、タッチパネル８の操作を中継する。たとえば、運転席用出力ソース機器と助手席用出力ソース機器との種類の組み合わせが、ＤＶＤビデオプレイヤ３とＴＶ受信機４であれば、ＤＶＤビデオプレイヤ３にこの操作を中継する。そして、ＤＶＤビデオプレイヤ３は、ＤＶＤ-Ｖｉｄｅｏディスクに記録されているメニュー画面を表示している場合には、操作された位置に応じたメニューの処理を実行する。また、たとえば、運転席用出力ソース機器と助手席用出力ソース機器との種類の組み合わせが、ナビゲーション装置２とＴＶ受信機４であれば、ナビゲーション装置２にこの操作を中継する。そして、ナビゲーション装置２は、操作された位置に対応する地図上の地点が中央となるように案内画像をスクロールする処理などを行う。そして、運転席用出力ソース機器と助手席用出力ソース機器との種類の組み合わせが、ナビゲーション装置２とＤＶＤビデオプレイヤ３である場合には、たとえば、予め定めた方の機器にこの操作を中継するようにする。
【００２８】
さて、以上のように運転席用出力ソース機器または助手席用出力ソース機器に設定されているときにナビゲーション装置２やＤＶＤビデオプレイヤ３やＴＶ受信機４が出力する操作ボタン群には、図３に示すように「メニュー」ボタンが含まれており、ナビゲーション装置２やＤＶＤビデオプレイヤ３やＴＶ受信機４は運転席用出力ソース機器または助手席用出力ソース機器に設定されているときに、タッチパネル８の「メニュー」ボタンに対応する位置の操作が制御装置１から中継されると、その旨を制御装置１に通知する。そして、制御装置１は、運転席用出力ソース機器または助手席用出力ソース機器から、「メニュー」ボタンの操作が通知されたならば、自身を、運転席用出力ソース機器および助手席用出力ソース機器に設定し、運転席用出力ソース機器や助手席用出力ソース機器の選定などをユーザから受け付けるためのメインメニュー画像を出力制御部５に出力することにより表示装置７に表示し、タッチパネル８の操作に応じて、運転席用出力ソース機器や助手席用出力ソース機器の選定を受け付けて設定する処理などを行う。
【００２９】
さて、このような車載ビデオシステムの構成において、制御装置１は、ナビゲーション装置２が運転席用出力ソース機器に設定され、ＤＶＤプビデオレイヤ３またはＴＶ受信機４が助手席用出力ソース機器に設定されている期間中、助手席用出力一時停止処理を行う。
図４に、この助手席用出力一時停止処理の手順を示す。
図示するように、この処理では、制御装置１は、運転席のユーザのタッチパネル８の操作の発生を監視する（ステップ４０２）。ここで、発生したタッチパネル８の操作が運転席のユーザによるものであるかどうかの判定は、操作されたタッチパネル８上の位置が、運転席用出力ソース機器用の操作ボタン群３１２が表示される領域内の位置や、その他の運転席用出力ソース機器に当該操作を中継すべき位置である場合に、当該操作が運転席のユーザによるのであると判定することにより行う。または、タッチパネル８の操作が発生したときに、操作者検出センサ１１が操作者として運転手であるユーザを検出している場合に、該操作が運転席のユーザによるものであると判定することにより行ってもよい。または、操作されたタッチパネル８上の位置が、運転席用出力ソース機器用の操作ボタン群３１２が表示される領域内の位置や、その他の運転席用出力ソース機器に当該操作を中継すべき位置であって、かつ、操作者検出センサ１１が操作者として運転手であるユーザを検出している場合に、該操作が運転席のユーザによるものであると判定することにより行ってもよい。
【００３０】
そして、運転席のユーザのタッチパネル８の操作が発生したならば、現在、助手席用出力ソース機器に設定されているのがＤＶＤビデオプレイヤ３あるか（ステップ４０４）、ＴＶ受信であるか（ステップ４１２）を調べる。
そして、助手席用出力ソース機器に設定されているのがＤＶＤビデオプレイヤ３あれば（ステップ４０４）、ＤＶＤビデオプレイヤ３に再生動作を一時停止（ポーズ）させる（ステップ４０６）。そして、運転席のユーザのタッチパネル８の操作の終了を待ち（ステップ４０８）、運転席のユーザのタッチパネル８の操作が終了したならば、ＤＶＤビデオプレイヤ３に再生動作を再開させ（ステップ４１０）、ステップ４０２の運転席のユーザのタッチパネル８の操作の発生を監視に戻る。
【００３１】
一方、助手席用出力ソース機器に設定されているのがＴＶ受信機４であれば（ステップ４１２）、ＴＶ受信機４に一時停止（受信中のＴＶ番組のビデオの記録開始）を指示し（ステップ４１４）。そして、運転席のユーザのタッチパネル８の操作の終了を待ち（ステップ４１６）、運転席のユーザのタッチパネル８の操作が終了したならば、ＴＶ受信機４にタイムシフト再生開始（記録しているビデオの先頭から再生出力開始）を指示し（ステップ４１８）、ステップ４０２の運転席のユーザのタッチパネル８の操作の発生を監視に戻る。
【００３２】
ここで、ステップ４０８とステップ４１６における運転席のユーザのタッチパネル８の操作の終了は、ナビゲーション装置２が判定し制御装置１に通知する。ナビゲーション装置２は、発生した操作によって開始を要求された処理で受け付ける一連の操作の全ての受付を完了した場合に、運転席のユーザのタッチパネル８の操作の終了を制御装置１に通知する。すなわち、たとえば、ナビゲーション装置２は、最初に発生した操作が、「目的地」ボタンの操作による目的地の設定処理の開始を要求する操作であれば、目的地の設定処理において目的地の設定を行うために、ユーザから受け付けることが必要となる一連の操作の全てを受け付けた場合か、目的地の設定処理の終了を要求する、目的地設定キャンセルの操作を受け付けた場合に、運転席のユーザのタッチパネル８の操作の終了を制御装置１に通知する。
【００３３】
ただし、ステップ４０８とステップ４１６における運転席のユーザのタッチパネル８の操作の終了の判定は、操作者検出センサ１１が操作者として運転手であるユーザを検出していない期間が一定期間以上継続した場合に、運転席のユーザのタッチパネル８の操作が終了したと判定することにより行うようにしてもよい。
【００３４】
以上、本発明の実施形態について説明した。
以上のように、本実施形態によれば、運転席のユーザがタッチパネル８を操作している期間中、助手席のユーザが鑑賞しているビデオコンテンツの出力を一時停止し、運転席のユーザの操作完了後に、助手席のユーザが鑑賞しているビデオコンテンツの出力を一時停止した箇所から再開することができる。
【００３５】
よって、運転席のユーザの操作のために、助手席のユーザが、ビデオコンテンツを、その一部の期間について鑑賞することができなくなってしまうことがなく、運転席のユーザのタッチパネル８の操作中もビデオコンテンツの出力を継続する場合に比べ、運転席のユーザの操作が、助手席のユーザのビデオコンテンツの鑑賞の妨げとなる程度を軽減することができる。
【００３６】
なお、以上の実施形態は、ＤＶＤビデオプレイヤ３やＴＶ受信機４に代えて、または、これらと共に、ビデオゲーム機器などの、ビデオ出力を一時停止可能であって停止箇所からビデオ出力を再開可能な任意のビデオ出力機器を用いる場合にも同様に適用することができる。すなわち、この場合には、このビデオ出力機器が助手席用出力ソース機器となっているときに、運転席のユーザのタッチパネル８の操作が発生したならば、ビデオ出力機器にビデオ出力を一時停止させると共に、その後の運転席のユーザの操作の完了を待って、ビデオ出力機器に停止箇所からビデオ出力を再開させるようにすればよい。
【００３７】
また、以上の実施形態は、運転席用出力ソース機器として、ＤＶＤビデオプレイヤ３やＴＶ受信機４が設定されている場合にも、以上で示した助手席用出力一時停止処理を行うようにしてもよい。または、運転席用出力ソース機器として、ＤＶＤビデオプレイヤ３やＴＶ受信機４が設定されている場合には、制御装置１において、前述した助手席用出力一時停止処理の助手席と運転席を交換した処理を行って、助手席のユーザがタッチパネル８を操作している期間中、運転席用出力ソース機器のビデオコンテンツの出力を一時停止し、助手席のユーザの操作完了後に、運転席用出力ソース機器のビデオコンテンツの出力を一時停止した箇所から再開するようにしてもよい。
【００３８】
また、以上の実施形態は、ナビゲーション装置２を備えず、自動車に搭載されないビデオシステムにおいても同様に適用可能である。
【図面の簡単な説明】
【００３９】
【図１】本発明の実施形態に係る車載ビデオシステムの構成を示すブロック図である。
【図２】本発明の実施形態に係る車載ビデオシステムの表示装置と操作部と操作者検出センサの配置例を示す図である。
【図３】本発明の実施形態に係る車載ビデオシステムの表示装置の表示例を示す図である。
【図４】本発明の実施形態に係る助手席用出力一時停止処理を示すフローチャートである。
【図５】二つの視野角を持つ二つの画像を表示可能な表示装置の構成と動作を示す図である。
【符号の説明】
【００４０】
１…制御装置、２…ナビゲーション装置、３…ＤＶＤビデオプレイヤ、４…ＴＶ受信機、５…出力制御部、６…表示制御部、７…表示装置、８…タッチパネル、９…音声出力制御部、１０…スピーカ、１１…操作者検出センサ。
【図１】
2007245792.tif 000003
【図２】
2007245792.tif 000004
【図３】
2007245792.tif 000005
【図４】
2007245792.tif 000006
【図５】
2007245792.tif 000007